(57)【要約】【課題】プライミング放電を安定して発生させることで、高精細化した場合やキセノン（Ｘｅ）分圧を上げた場合でも、書込み動作を安定させて良好な品質で画像表示させるプラズマディスプレイパネルを実現する。【解決手段】前面基板２１上の走査電極２２、維持電極２３と背面基板３１上のデータ電極３２とで放電を行う主放電セル４０と、前面基板２１上に設けたプライミング電極２９とデータ電極３２とで放電を行うプライミング放電セル４１ａとを有し、データ電極３２上にそれを覆う絶縁層３３を設けた。【選択図】図１
2006108023.tif 000002
【特許請求の範囲】
【請求項１】
第１の基板上に平行に配置されかつ表示電極対を構成する走査電極および維持電極と、放電空間を挟んで前記第１の基板に対向配置された第２の基板上に前記走査電極と交差する方向に配置されかつ前記表示電極対とで主放電セルを構成するデータ電極と、前記データ電極を覆う絶縁層と、前記絶縁層上に配置され前記主放電セルを区画し前記主放電セルが前記表示電極対に沿って複数連結した主放電セル行を形成するとともに隣接する主放電セル行の間に隙間部を設けた隔壁とを有し、
前記第１の基板上において２本の前記走査電極が隣り合う隙間部に対応する位置に、前記走査電極と平行にプライミング電極を配置したことを特徴とするプラズマディスプレイパネル。
【請求項２】
前記データ電極を覆う前記絶縁層に代えて、少なくとも前記プライミング電極を配置した隙間部の前記第２の基板側に絶縁層を設けたことを特徴とする請求項１記載のプラズマディスプレイパネル。
【発明の詳細な説明】
【技術分野】
【０００１】
本発明は、壁掛けテレビや大型モニターに用いられるプラズマディスプレイパネルに関する。
【背景技術】
【０００２】
ＡＣ型として代表的な交流面放電型プラズマディスプレイパネル（以下、「ＰＤＰ」と呼ぶ）は、面放電を行う走査電極および維持電極を配列して形成したガラス基板からなる前面板と、データ電極を配列して形成したガラス基板からなる背面板とを、両電極がマトリックスを組むように、しかも間隙に放電空間を形成するように平行に対向配置し、その外周部をガラスフリット等の封着材によって封着することにより構成されている。そして、基板間には、隔壁によって区画された放電セルが設けられ、この隔壁間のセル空間に蛍光体層が形成された構成である。このような構成のＰＤＰにおいては、ガス放電により紫外線を発生させ、この紫外線でＲ、Ｇ、Ｂの各色の蛍光体を励起して発光させることによりカラー表示を行っている。
【０００３】
このＰＤＰは、１フィールド期間を複数のサブフィールドに分割し、発光させるサブフィールドの組み合わせによって駆動し階調表示を行う。各サブフィールドは初期化期間、書込み期間および維持期間からなる。画像データを表示するためには、初期化期間、書込み期間および維持期間でそれぞれ異なる信号波形を各電極に印加している。
【０００４】
初期化期間には、例えば、正のパルス電圧をすべての走査電極に印加し、走査電極および維持電極を覆う誘電体層上の保護層および蛍光体層上に必要な壁電荷を蓄積する。加えて、放電遅れを小さくして書込み放電を安定して発生させるためのプライミング（放電のための起爆剤＝励起粒子）を発生させるという働きを持つ。
【０００５】
書込み期間では、すべての走査電極に、順次負の走査パルスを印加することにより走査し、表示データがある場合、走査電極を走査している間に、データ電極に正のデータパルスを印加すると、走査電極とデータ電極との間で放電が起こり、走査電極上の保護層の表面に壁電荷が形成される。
【０００６】
つづく維持期間では、一定の期間、走査電極と維持電極との間に放電を維持するのに充分な電圧を印加する。これにより、走査電極と維持電極との間に放電プラズマが生成され、一定の期間、蛍光体層を励起発光させる。書込み期間においてデータパルスが印加されなかった放電空間では、放電は発生せず蛍光体層の励起発光は起こらない。
【０００７】
このようなＰＤＰでは、書込み期間の放電に大きな放電遅れが発生し、書込み動作が不安定になる、あるいは書込み動作を完全に行うためにアドレス時間を長く設定し書込み期間に費やす時間が大きくなりすぎるといった課題があった。
【０００８】
これら課題を解決するために、プライミング電極を設けてプライミングを発生させ、放電遅れを小さくするＰＤＰが提案されている（例えば、特許文献１参照）。
【特許文献１】特開平９−２４５６２７号公報
【発明の開示】
【発明が解決しようとする課題】
【０００９】
しかしながら、これらＰＤＰにおいて、高精細化してライン数が増えたときには、さらにアドレス時間に費やす時間が長くなり、維持期間に費やす時間を減らさなければならず、高精細化したときに輝度の確保が難しいという課題が生じる。さらに、高輝度・高効率化を達成するために、キセノン（Ｘｅ）分圧を上げた場合においても放電開始電圧が上昇し、初期化放電が不安定になり、その結果、書込み不良を生じるおそれがあり、そのため書込み動作の駆動電圧マージンが狭くなるという課題があった。
【００１０】
本発明は、これらの課題に鑑みなされたものであり、プライミング放電を安定して発生させ、高精細化した場合やキセノン（Ｘｅ）分圧を上げた場合でも、書込み動作を安定させたＰＤＰを提供することを目的とする。
【課題を解決するための手段】
【００１１】
上述した課題を解決するために、本発明のＰＤＰは、第１の基板上に平行に配置されかつ表示電極対を構成する走査電極および維持電極と、放電空間を挟んで第１の基板に対向配置された第２の基板上に走査電極と交差する方向に配置されかつ表示電極対とで主放電セルを構成するデータ電極と、データ電極を覆う絶縁層と、絶縁層上に配置され主放電セルを区画し主放電セルが表示電極対に沿って複数連結した主放電セル行を形成するとともに隣接する主放電セル行の間に隙間部を設けた隔壁とを有し、第１の基板上において２本の走査電極が隣り合う隙間部に対応する位置に、走査電極と平行にプライミング電極を配置したことを特徴とする。
【００１２】
この構成により、データ電極とプライミング放電空間との絶縁破壊を抑制して安定したプライミング放電を実現できる。したがって、プライミング放電を安定的に形成することで、アドレス特性に優れた高精細化に好適なＰＤＰを実現することができる。
【００１３】
また、データ電極を覆う絶縁層に代えて、少なくともプライミング電極を配置した隙間部の第２の基板側に絶縁層を設けてもよい。このような構成によっても、データ電極とプライミング放電空間との絶縁破壊を抑制して安定したプライミング放電を実現できる。
【発明の効果】
【００１４】
以上のように、本発明によれば、プライミング放電を安定して発生させることで、高精細化した場合やキセノン（Ｘｅ）分圧を上げた場合でも、書込み動作を安定させて良好な品質で画像表示させるＰＤＰを実現することができる。
【発明を実施するための最良の形態】
【００１５】
以下、本発明の実施の形態におけるＰＤＰについて図面を用いて説明する。
【００１６】
（実施の形態）
図１は本発明の実施の形態におけるＰＤＰの構造を示す断面斜視図であり、図２は同ＰＤＰの断面図である。第１の基板であるガラス製の前面基板２１と第２の基板である背面基板３１とが放電空間を挟んで対向配置され、放電空間には放電によって紫外線を放射するネオン（Ｎｅ）とキセノン（Ｘｅ）との混合ガスが封入されている。
【００１７】
前面基板２１上には、走査電極２２と維持電極２３とからなる表示電極対が互いに平行に複数対形成されている。このとき、例えば走査電極２２−維持電極２３の順で構成された表示電極対に隣接する表示電極対は維持電極２３−走査電極２２の順で構成されている。そして、隣接する表示電極対の間のうち、走査電極２２が対向する側にはプライミング電極２９が表示電極対と平行に構成されている。したがって、前面基板２１上には、維持電極２３−走査電極２２−プライミング電極２９−走査電極２２−維持電極２３−維持電極２３−走査電極２２−プライミング電極２９−走査電極２２−維持電極２３−・・・となるように配列されている。走査電極２２と維持電極２３は、それぞれ透明電極２２ａ、２３ａとその透明電極２２ａ、２３ａ上に形成された金属母線２２ｂ、２３ｂとから構成されている。走査電極２２−走査電極２２間、および維持電極２３−維持電極２３間には黒色材料からなる光吸収層２８が設けられており、プライミング電極２９は走査電極２２−走査電極２２間に設けられた光吸収層２８上に金属母線を用いて構成されている。そして、これらの走査電極２２、維持電極２３、プライミング電極２９および光吸収層２８とを覆うように誘電体層２４および保護層２５が形成されている。
【００１８】
背面基板３１上には、走査電極２２と交差する方向にデータ電極３２が互いに平行に複数形成され、そしてデータ電極３２を覆うように絶縁層３３が形成されている。そして絶縁層３３を覆うように反射層５０が形成され、反射層５０の上に主放電セル４０を区画するための隔壁３４が形成されている。
【００１９】
隔壁３４は、データ電極３２と平行な方向に延びる縦壁部３４ａと、主放電セル４０を形成するとともに主放電セル４０の間に隙間部４１を形成する横壁部３４ｂとで構成されている。その結果、隔壁３４は走査電極２２と維持電極２３とからなる一対の表示電極対に沿って主放電セル４０を複数連結した主放電セル行を形成し、隣接した主放電セル行の間に隙間部４１を形成する。隙間部４１のうち、２本の走査電極２２が隣り合う側に位置する隙間部４１の前面基板２１上にはプライミング電極２９が形成されており、この隙間部はプライミング放電セル４１ａとして働く。すなわち隙間部４１は１つおきにプライミング電極２９を有するプライミング放電セル４１ａとなっている。なお、隙間部４１ｂは２本の維持電極２３が隣り合う側に位置する隙間部４１である。
【００２０】
そして、これら隔壁３４の頂部は前面基板２１に当接するように平坦に形成されている。これは、隣接する主放電セル４０の相互干渉を防ぐためであり、特に書込み期間において隣接する主放電セル４０の書込み放電にともない発生するプライミングの影響を受けて誤書込みを生じる等の誤動作を防ぐためである。さらには、プライミング放電にともない、プライミング放電セル４１ａに隣接する主放電セル４０の壁電荷が減少し書込み不良を生じる等の誤動作を防ぐためである。
【００２１】
また、図１、図２に示すように、絶縁性の大なる材料からなる絶縁層３３が背面基板３１上のデータ電極３２を覆って略均一な膜厚に形成されている。絶縁性の大なる材料としてはガラス材料、例えば、ＺｎＯ−Ｂ２Ｏ３−ＳｉＯ２系の混合物、ＰｂＯ−Ｂ２Ｏ３−ＳｉＯ２系の混合物、ＰｂＯ−ＺｎＯ−Ｂ２Ｏ３−ＳｉＯ２系の混合物、Ｂｉ２Ｏ３−Ｂ２Ｏ３−ＳｉＯ２系の混合物等が用いられる。また、反射率を高めた反射層５０が絶縁層３３を覆って略均一な膜厚に形成されている。反射層５０は、例えばＴｉＯ２等のフィラーを混合することによって反射率を高め、主放電セル４０における発光を前面基板２１側に反射させ、ＰＤＰの発光効率を高めている。
【００２２】
そして、隔壁３４により区画された主放電セル４０に対応する反射層５０の表面と隔壁３４の側面とに蛍光体層３５が設けられている。なお、図１では隙間部４１側に蛍光体層３５を形成していないが、蛍光体層３５を形成する構成としてもよい。
【００２３】
図３は本発明の実施の形態におけるＰＤＰの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とｎ／２行のプライミング電極ＰＲ１〜ＰＲｎ−１（図１のプライミング電極２９）とが維持電極ＳＵ１−走査電極ＳＣ１−プライミング電極ＰＲ１−走査電極ＳＣ２−維持電極ＳＵ２−維持電極ＳＵ３−走査電極ＳＣ３−プライミング電極ＰＲ３−走査電極ＳＣ４−維持電極ＳＵ４−・・・となるように配列されている。そして、一対の走査電極ＳＣｉ、維持電極ＳＵｉ（ｉ＝１〜ｎ）と１つのデータ電極Ｄｊ（ｊ＝１〜ｍ）とを含む主放電セルＣｉ，ｊ（図１の主放電セル４０）が放電空間内にｍ×ｎ個形成される。またプライミング電極ＰＲｐ（ｐは奇数）とデータ電極Ｄ１〜Ｄｍとを含むプライミング放電セルＰＳｐ（図１のプライミング放電セル４１ａ）が放電空間内にｎ／２個形成される。そして詳細は後述するが、書込み期間においてこのプライミング放電セルＰＳｐで発生したプライミングは、プライミング放電セルＰＳｐに隣接する主放電セルＣｐ，１〜Ｃｐ，ｍ、Ｃｐ＋１，１〜Ｃｐ＋１，ｍに供給される。
【００２４】
つぎに、ＰＤＰを駆動するための駆動波形とそのタイミングについて、ＰＤＰの動作とともに説明する。図４は、本発明の実施の形態におけるＰＤＰの駆動波形図である。なお本発明の実施の形態においては、１フィールド期間が初期化期間、書込み期間、維持期間を有する複数のサブフィールドから構成され、最初のサブフィールドの初期化期間は画像表示にかかわるすべての主放電セルで初期化放電を発生させる全セル初期化動作を行い、２番目以降のサブフィールドはその直前のサブフィールドの維持期間で維持放電を行った主放電セルに対して選択的に初期化放電を発生させる選択初期化動作を行うものとして説明する。全セル初期化期間を便宜上２つに分けて前半部、後半部と呼ぶことにする。
【００２５】
最初のサブフィールドの初期化期間前半部では、データ電極Ｄ１〜Ｄｍ、維持電極ＳＵ１〜ＳＵｎをそれぞれ０（Ｖ）に保持し、走査電極ＳＣ１〜ＳＣｎには電圧Ｖｉ１から、維持電極ＳＵ１〜ＳＵｎおよびデータ電極Ｄ１〜Ｄｍに対して放電開始電圧を超える電圧Ｖｉ２に向かって緩やかに上昇する傾斜波形電圧を印加する。また、プライミング電極ＰＲ１〜ＰＲｎ−１にも走査電極ＳＣ１〜ＳＣｎと同様の傾斜波形電圧を印加する。すると、主放電セル内部では、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こり、プライミング放電セル内部では、プライミング電極ＰＲ１〜ＰＲｎ−１とデータ電極Ｄ１〜Ｄｍとの間でそれぞれ微弱な初期化放電が起こる。そして、走査電極ＳＣ１〜ＳＣｎ上部およびプライミング電極ＰＲ１〜ＰＲｎ−１上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上あるいは蛍光体層上に蓄積された壁電荷により生じる電圧をあらわす。
【００２６】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎおよびデータ電極Ｄ１〜Ｄｍに対して放電開始電圧以下となる電圧Ｖｉ３から放電開始電圧を超える電圧Ｖｉ４に向かって緩やかに下降する傾斜波形電圧を印加する。また、プライミング電極ＰＲ１〜ＰＲｎ−１にも走査電極ＳＣ１〜ＳＣｎと同様の傾斜波形電圧を印加する。すると、走査電極ＳＣ１〜ＳＣｎと維持電極ＳＵ１〜ＳＵｎ、走査電極ＳＣ１〜ＳＣｎとデータ電極Ｄ１〜Ｄｍ、プライミング電極ＰＲ１〜ＰＲｎ−１とデータ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整され、プライミング電極ＰＲ１〜ＰＲｎ−１上部の壁電圧もプライミング動作に適した値に調整される。以上により画像表示にかかわる全放電セルを初期化放電させる全セル初期化動作が終了する。
【００２７】
書込み期間では、走査電極ＳＣ１〜ＳＣｎおよびプライミング電極ＰＲ１〜ＰＲｎ−１を一旦電圧Ｖｃに保持する。これは、後述する書込みパルス電圧Ｖｄの印加にともなって不要な放電を発生させないためである。そして、１行目のプライミング電極ＰＲ１に負のプライミングパルス電圧Ｖｐを印加する。このときのプライミングパルスは振幅の大きなパルスであり、データ電極Ｄ１〜Ｄｍに印加される書込みパルスの有無にかかわらず、プライミング電極ＰＲ１とデータ電極Ｄ１〜Ｄｍとの間でプライミング放電が発生する。そして、１行目の主放電セルＣ１，１〜Ｃ１，ｍおよび２行目の主放電セルＣ２，１〜Ｃ２，ｍ内部にプライミングを供給する。この放電によってプライミング電極ＰＲ１上部には正の壁電圧が蓄積される。
【００２８】
つぎに、１行目の走査電極ＳＣ１に負の走査パルス電圧Ｖａを印加する。このとき同時に、データ電極Ｄ１〜Ｄｍのうち１行目に表示すべき画像信号に対応するデータ電極Ｄｋ（ｋは１〜ｍの整数をあらわす）に正の書込みパルス電圧Ｖｄを印加する。すると、書込みパルス電圧Ｖｄを印加したデータ電極Ｄｋと走査電極ＳＣ１との交差部で放電が発生し、対応する主放電セルＣ１，ｋの維持電極ＳＵ１と走査電極ＳＣ１との間の放電に進展する。そして、主放電セルＣ１，ｋの走査電極ＳＣ１上部に正の壁電圧が蓄積され、維持電極ＳＵ１上部に負の壁電圧が蓄積され、１行目の書込み動作が終了する。ここで、主放電セルＣ１，ｋの書込み放電は、プライミング電極ＰＲ１とデータ電極Ｄ１〜Ｄｍとの間で発生したプライミング放電からプライミングが供給された後に発生するので放電遅れが小さく安定した放電となる。
【００２９】
つぎに、２行目の走査電極ＳＣ２に走査パルス電圧Ｖａを印加する。このとき同時に、データ電極Ｄ１〜Ｄｍのうち２行目に表示すべき画像信号に対応するデータ電極Ｄｋに正の書込みパルス電圧Ｖｄを印加する。すると、データ電極Ｄｋと走査電極ＳＣ２との交差部で放電が発生し、対応する主放電セルＣ２，ｋの維持電極ＳＵ２と走査電極ＳＣ２との間の放電に進展する。そして、主放電セルＣ２，ｋの走査電極ＳＣ２上部に正の壁電圧が蓄積され、維持電極ＳＵ２上部に負の壁電圧が蓄積され、２行目の書込み動作が終了する。ここでの、主放電セルＣ２，ｋの書込み放電も、プライミング電極ＰＲ１とデータ電極Ｄ１〜Ｄｍとの間で発生したプライミング放電からプライミングが供給された後に発生するので放電遅れが小さく安定した放電となる。
【００３０】
また、２行目の走査電極ＳＣ２に走査パルス電圧Ｖａを印加すると同時に、プライミング電極ＰＲ３にプライミングパルス電圧Ｖｐを印加する。するとデータ電極Ｄ１〜Ｄｍに印加される書込みパルスの有無にかかわらず、プライミング電極ＰＲ３とデータ電極Ｄ１〜Ｄｍとの間でプライミング放電が発生する。そして、３行目の主放電セルＣ３，１〜Ｃ３，ｍおよび４行目の主放電セルＣ４，１〜Ｃ４，ｍ内部にプライミングを供給する。この放電によってプライミング電極ＰＲ３上部に正の壁電圧が蓄積される。
【００３１】
以下同様の書込み動作をｎ行目の主放電セルＣｎ，ｋに至るまで行い、書込み動作を終了する。そして、それぞれの主放電セルＣｉ，ｊの書込み放電は、隣接するプライミング放電セルからプライミングが供給された後に発生するので、放電遅れの小さい安定した放電となる。
【００３２】
維持期間においては、走査電極ＳＣ１〜ＳＣｎ、プライミング電極ＰＲ１〜ＰＲｎ−１および維持電極ＳＵ１〜ＳＵｎを０（Ｖ）に一旦戻す。その後、走査電極ＳＣ１〜ＳＣｎに正の維持パルス電圧Ｖｓを印加する。このとき、書込み放電を起こした主放電セルＣｉ，ｊにおける走査電極ＳＣｉ上部と維持電極ＳＵｉ上部との間の電圧は、維持パルス電圧Ｖｓに加えて、書込み期間において走査電極ＳＣｉ上部および維持電極ＳＵｉ上部に蓄積された壁電圧が加算されるので放電開始電圧を超え維持放電が発生する。以降同様に、走査電極ＳＣ１〜ＳＣｎと維持電極ＳＵ１〜ＳＵｎとに維持パルス電圧を交互に印加することにより、書込み放電を起こした主放電セルＣｉ，ｊに対して維持パルスの回数だけ維持放電が継続して行われる。
【００３３】
なお、プライミング電極ＰＲ１〜ＰＲｎ−１には図４に示すように走査電極ＳＣ１〜ＳＣｎと同様の維持パルス電圧Ｖｓが印加される。書込み期間においてプライミング電極ＰＲ１〜ＰＲｎ−１上部には正の壁電圧が蓄積しているので、最初の維持パルス電圧印加時にはプライミング放電セル内部で放電が発生するが、それ以降は放電は発生しない。
【００３４】
つづくサブフィールドの初期化期間では、維持電極ＳＵ１〜ＳＵｎを正電圧Ｖｅに保ち、走査電極ＳＣ１〜ＳＣｎとプライミング電極ＰＲ１〜ＰＲｎ−１には電圧Ｖｉ４に向かって緩やかに下降する傾斜波形電圧を印加する。すると、維持放電を行った主放電セルＣｉ，ｋの走査電極ＳＣ１〜ＳＣｎと維持電極ＳＵ１〜ＳＵｎ、データ電極Ｄ１〜Ｄｍとの間、およびプライミング電極ＰＲ１〜ＰＲｎ−１とデータ電極Ｄ１〜Ｄｍとの間でそれぞれ微弱な初期化放電が起こる。そして、走査電極ＳＣ１〜ＳＣｎ上部および維持電極ＳＵ１〜ＳＵｎ上部の壁電圧が弱められ、データ電極Ｄ１〜Ｄｍ上部の正の壁電圧は書込み動作に適した値に調整され、プライミング電極ＰＲ１〜ＰＲｎ−１上部の正の壁電圧もプライミング動作に適した値に調整される。
【００３５】
この後の書込み期間、維持期間、およびつづくサブフィールドの駆動波形とパネルの動作は上述と同様である。
【００３６】
上述のように、初期化期間、維持期間においてはプライミング電極ＰＲ１〜ＰＲｎ−１には走査電極ＳＣ１〜ＳＣｎとほぼ同様の駆動波形電圧を印加している。これは、走査電極ＳＣｐ、ＳＣｐ＋１とプライミング電極ＰＲｐとの距離が近いため、この電極間で不要な放電を発生させないためである。また、書込み期間および維持期間の最初の維持パルス電圧印加時にプライミング放電セル内部で画像表示に関係しない放電が発生するが、プライミング放電セルには光吸収層２８が設けてあるので、このときに発生する発光がパネル外部に漏れることはない。そして、書込み期間において、それぞれの主放電セルＣｉ，ｊの書込み放電は、隣接するプライミング放電セルからプライミングが供給された後に発生するので、放電遅れの小さい安定した放電となる。
【００３７】
また、走査電極ＳＣｐ−１に走査パルス電圧を印加している時間とプライミング電極ＰＲｐにプライミングパルス電圧を印加している時間とには重なりがあるので、１行目のプライミング放電を除いて、プライミング放電のための時間をあらたに設ける必要がない。本実施の形態においては、走査電極ＳＣｐ−１とデータ電極Ｄｋとの間で書込み放電を発生させると同時にプライミング電極ＰＲｐとデータ電極Ｄ１〜Ｄｍとの間でプライミング放電を発生させることにより、パネルの駆動時間を延ばすことなくプライミング放電を発生させることが可能となっている。
【００３８】
なお、上述の動作説明においては、最初のサブフィールドの初期化期間はすべての主放電セルで初期化放電を行う全セル初期化動作を行い、つぎのサブフィールド以降の初期化期間は維持放電を行った主放電セルを選択的に初期化する選択初期化動作を行うものとして説明したが、これらの初期化動作は任意に組み合わせてもよい。
【００３９】
このようにして、本実施の形態では、プライミング放電は、前面基板２１に設けられたプライミング電極２９と背面基板３１に設けられたデータ電極３２との間で上下方向に発生させている。
【００４０】
一方、このようなプライミング放電を用いて書込み動作の特性を安定化させる場合、プライミング放電そのものを安定的に形成することが重要である。例えば、データ電極３２とプライミング放電セル４１ａの放電空間とを絶縁している絶縁層３３の絶縁耐圧が不充分あるいは絶縁破壊を起こす場合等は、画像表示に対して重大な影響を与える。すなわち、データ電極３２上の絶縁層３３に絶縁破壊等が生じると、絶縁破壊した部分で異常に強いプライミング放電を発生し、これがプライミング放電セル４１ａにおける異常放電となり主放電セル４０において誤放電を誘引する。この誤放電は複数セルの範囲に及ぶため、表示画面において巨大な輝点として観察され、ＰＤＰの表示品質を著しく低下させる。
【００４１】
しかし、本発明の実施の形態では、上述のガラス材料を用いる等して充分に絶縁性を高めた絶縁層３３を背面基板３１のデータ電極３２上に形成している。そのため、データ電極３２とプライミング放電セル４１ａの放電空間との絶縁性を確保して、絶縁層３３の絶縁破壊を抑制することができるため、異常に強いプライミング放電等を防止し、表示画面において発生する巨大な輝点等を防止することができる。したがって、細長い形状を有するプライミング放電セル４１ａにおけるプライミング放電のばらつきを抑制し、各主放電セル４０に対して均一なプライミング放電を発生させることができ、表示品質の高い画像表示を実現することが可能となる。
【００４２】
このように、本発明の実施の形態によれば、プライミング放電セルにおける絶縁破壊を防止することによって異常放電、異常輝点等を防止し、プライミング放電を安定的に形成することで、アドレス特性に優れ、高画質表示が可能な高精細化に好適なＰＤＰを実現することができる。
【００４３】
図５は本発明の実施の形態におけるＰＤＰの他の一例の断面を示す図である。本発明の実施の形態においては、図５に示すように、データ電極３２を反射層５０で覆い、反射層５０の上に隔壁３４を形成し、プライミング放電セル４１ａの背面基板３１側に絶縁層３３を形成する構成としてもよい。
【００４４】
上述したように本発明の実施の形態においては、プライミング放電を、前面基板２１に設けられたプライミング電極２９と背面基板３１に設けられたデータ電極３２との間で上下方向に発生させている。したがって、プライミング放電セル４１ａの背面基板３１側に絶縁層３３を形成し、プライミング放電に対する絶縁耐圧性能をプライミング放電セル４１ａにおいて向上させた構成としても上述と同様の効果を得ることができる。この場合、背面基板３１の全面に絶縁層３３を形成する場合と比べ、ＰＤＰの製造工程における工数を削減できるという効果も得られる。なお、維持電極２３が配置された位置に対応する隙間部４１ｂにも絶縁層３３を形成する構成としてもかまわない。
【産業上の利用可能性】
【００４５】
本発明は、書込み動作の駆動電圧マージンを狭めることなく書込み放電を安定して発生させることができるので、壁掛けテレビや大型モニター等に用いられるＰＤＰとして有用である。
【図面の簡単な説明】
【００４６】
【図１】本発明の実施の形態におけるＰＤＰの構造を示す断面斜視図
【図２】同ＰＤＰの断面図
【図３】同ＰＤＰの電極配列図
【図４】同ＰＤＰの駆動波形図
【図５】同ＰＤＰの他の一例の断面を示す図
【符号の説明】
【００４７】
２１    前面基板
２２    走査電極
２２ａ，２３ａ    透明電極
２２ｂ，２３ｂ    金属母線
２３    維持電極
２４    誘電体層
２５    保護層
２８    光吸収層
２９    プライミング電極
３１    背面基板
３２    データ電極
３３    絶縁層
３４    隔壁
３４ａ    縦壁部
３４ｂ    横壁部
３５    蛍光体層
４０    主放電セル
４１，４１ｂ    隙間部
４１ａ    プライミング放電セル
５０    反射層
【図１】
2006108023.tif 000003
【図２】
2006108023.tif 000004
【図３】
2006108023.tif 000005
【図４】
2006108023.tif 000006
【図５】
2006108023.tif 000007